(57)【要約】【課題】光学素子が固定されるフレームがダイカストで形成される場合であっても、光学素子の光軸ずれを抑制することができる光ヘッド装置を提供すること。【解決手段】光ヘッド装置は、光記録媒体に向かって光を射出する光源と、光記録媒体で反射された反射光を受光する受光素子と、光源から光記録媒体へ向かう光路上および／または光記録媒体から受光素子へ向かう光路上に配置される光学素子１０と、光学素子１０が固定される金属製のフレーム６とを備えている。フレーム６は、ダイカストで形成されるとともに、フレーム６の、光学素子１０の固定部６ｃには、光学素子１０に向かって突出する複数の突起部６ｐが形成されている。光学素子１０は、突起部６ｐの先端に接着剤２１を介して固定されている。【選択図】図７
2010061753.tif 000002
【特許請求の範囲】
【請求項１】
光記録媒体に向かって光を射出する光源と、前記光記録媒体で反射された反射光を受光する受光素子と、前記光源から前記光記録媒体へ向かう光路上および／または前記光記録媒体から前記受光素子へ向かう光路上に配置される光学素子と、前記光学素子が固定される金属製のフレームとを備え、
前記フレームは、ダイカストで形成されるとともに、前記フレームの、前記光学素子の固定部には、前記光学素子に向かって突出する複数の突起部が形成され、
前記光学素子は、前記突起部の先端に接着剤を介して接着固定されていることを特徴とする光ヘッド装置。
【請求項２】
前記光学素子は、前記突起部の先端面と離間した状態で接着されていることを特徴とする請求項１記載の光ヘッド装置。
【請求項３】
前記光学素子は、ビームスプリッタであることを特徴とする請求項１または２記載の光ヘッド装置。
【請求項４】
前記フレームは、亜鉛合金で形成されていることを特徴とする請求項１から３いずれかに記載の光ヘッド装置。
【発明の詳細な説明】
【技術分野】
【０００１】
本発明は、光記録媒体に対する情報の記録、再生を行う光ヘッド装置に関する。
【背景技術】
【０００２】
ＣＤやＤＶＤ等の光記録媒体に対する情報の記録、再生を行う光ヘッド装置は、光記録媒体に向かって光を射出するレーザ光源と、光記録媒体で反射された反射光を受光する受光素子と、レーザ光源から光記録媒体へ向かう光路上や光記録媒体から受光素子に向かう光路上に配置される光学系等を備えており、これらのレーザ光源、受光素子および光学系は、フレームに搭載されている（たとえば、特許文献１参照）。
【０００３】
光ヘッド装置は一般に、光学系を構成する光学素子として、レーザ光源からの射出光を光記録媒体に導くとともに光記録媒体で反射された反射光を受光素子に導くビームスプリッタを備えている。このビームスプリッタは一般に、フレームに形成される取付基準面に当接した状態でフレームに固定されている。また、光学素子が搭載されるフレームは、亜鉛ダイカスト、アルミダイカストあるいはマグネシウムダイカスト等の金属、または、樹脂で形成されている。
【０００４】
【特許文献１】特開２００６−１２０２５８号公報
【発明の開示】
【発明が解決しようとする課題】
【０００５】
ビームスプリッタ等の光学素子がフレームの取付基準面に当接した状態で固定される光ヘッド装置の場合、フレームが亜鉛ダイカストで形成されていると、光ヘッド装置の組立後に所定の調整を行ったにもかかわらず、時間の経過に伴って、光記録媒体に対する記録、再生に支障がでることがある。本願発明者の検討によると、光学素子の光軸ずれがこの現象の主要原因であることが明らかになった。
【０００６】
そこで、本発明の課題は、光学素子が固定されるフレームがダイカストで形成される場合であっても、光学素子の光軸ずれを抑制することができる光ヘッド装置を提供することにある。
【課題を解決するための手段】
【０００７】
上記の課題を解決するため、本願発明者は種々の検討を行った。特に、光学素子の光軸ずれが高湿度の環境下で発生しやすいことに着目して本願発明者は種々の検討を行った。その結果、光学素子の光軸ずれは、光学素子の取付基準面に生じる錆に起因して発生していることを知見するに至った。具体的には、取付基準面に生じる錆によって、取付基準面から光学素子が浮き上がって、光学素子の光軸がずれることを知見するに至った。
【０００８】
なお、フレームがダイカストで形成される場合、成型時に、ランナーの壁面で一旦、固まってしまった溶融金属中の不純物の塊がランナーの壁面から剥離してキャビティーの中に入り、その不純物の塊がフレームの取付基準面に配置された状態でフレームが出来上がると、この不純物の塊部分が水を含んで錆び、取付基準面から剥離しやすくなることが、本願発明者のさらなる検討によって、明らかになった。
【０００９】
本発明の光ヘッド装置は、かかる新たな知見に基づくものであり、光記録媒体に向かって光を射出する光源と、光記録媒体で反射された反射光を受光する受光素子と、光源から光記録媒体へ向かう光路上および／または光記録媒体から受光素子へ向かう光路上に配置される光学素子と、光学素子が固定される金属製のフレームとを備え、フレームは、ダイカストで形成されるとともに、フレームの、光学素子の固定部には、光学素子に向かって突出する複数の突起部が形成され、光学素子は、突起部の先端に接着剤を介して接着固定されていることを特徴とする。
【００１０】
本発明の光ヘッド装置では、ダイカストで形成されるフレームに複数の突起部が形成され、光学素子は、突起部の先端に接着剤を介して接着固定されている。そのため、突起部の先端を光学素子の取付基準面（証面）とする場合には、取付基準面の面積を低減することができる。したがって、取付基準面において、錆が発生する確率を低減することができる。また、突起部の先端に所定の被膜等を形成し、その被膜を光学素子の取付基準面とする場合であっても、フレームの、被膜の形成部分の面積を低減することができるため、取付基準面の近傍で、錆が発生する確率を低減することができる。また、突起部の先端と光学素子との間に接着剤が介在するため、取付基準面あるいは取付基準面の近傍において、錆が発生する確率をさらに低減することができる。その結果、取付基準面あるいは取付基準面の近傍での錆の発生を抑制して、光学素子の光軸ずれを抑制することができる。
【００１１】
なお、本明細書において、「光学素子は、突起部の先端に接着剤を介して接着固定されている」には、突起部の先端と光学素子との間の全域に接着剤が介在する場合の他、突起部の先端と光学素子との間の一部に接着剤が介在しない箇所が存在する場合も含まれるものとする。また、突起部の先端と光学素子との間の一部に接着剤が介在しない箇所が存在する場合には、接着剤が介在しない箇所において、突起部の先端と光学素子とが当接している場合も含まれるものとする。
【００１２】
本発明において、光学素子は、突起部の先端面と離間した状態で接着されていることが好ましい。このように構成すると、突起部の先端面と光学素子との間により多くの接着剤を注入することができ、突起部の先端面を接着剤によって確実に覆うことができるため、先端面に水分が含まれるのを効果的に抑制することができる。したがって、取付基準面あるいは取付基準面の近傍において、錆が発生する確率を効果的に低減することができる。
【００１３】
本発明において、光学素子は、たとえば、ビームスプリッタである。ビームスプリッタは、光を反射させる反射機能を有するため、取付基準面から浮き上がると、光軸が大きくずれやすくなるが、本発明の光ヘッド装置では、ビームスプリッタの光軸ずれを抑制することができる。したがって、ビームスプリッタを適切に機能させることができる。
【００１４】
本発明において、フレームは、亜鉛合金で形成されていることが好ましい。このように構成すると、マグネシウム合金やアルミニウム合金によってフレームが形成される場合と比較して、フレームのコストを低減することができる。また、本願発明者の検討によると、マグネシウム合金やアルミニウム合金によってフレームが形成される場合と比較して、フレームが亜鉛合金で形成されると、フレームの表面に錆が発生しやすくなるが、本発明の光ヘッド装置では、光学素子の取付基準面の近傍で、錆が発生する確率を低減することができる。
【発明の効果】
【００１５】
以上のように、本発明の光ヘッド装置では、光学素子が固定されるフレームがダイカストで形成される場合であっても、光学素子の光軸ずれを抑制することができる。
【発明を実施するための最良の形態】
【００１６】
以下、本発明の実施の形態を図面に基づいて説明する。
【００１７】
（光ヘッド装置の全体構成）
図１は、本発明の実施の形態にかかる光ヘッド装置１の、光学系５を中心とした概略構成図である。図２は、本発明の実施の形態にかかる光ヘッド装置１の一部の部品を取り除いた状態を示す平面図である。図３は、図２に示すフレーム６の斜視図である。図４は、図３のＥ−Ｅ断面の断面図である。
【００１８】
本形態の光ヘッド装置１は、ＣＤやＤＶＤ等の光記録媒体２に記録された情報の再生や、光記録媒体２への情報の記録を行う装置である。この光ヘッド装置１は、光記録媒体２に向かって、６５０ｎｍ帯の波長のレーザ光を射出する第１レーザ光源３Ａと、７８０ｎｍ帯の波長のレーザ光を射出する第２レーザ光源３Ｂと、光記録媒体２で反射された反射光を受光する受光素子としての信号検出用受光素子４と、第１レーザ光源３Ａまたは第２レーザ光源３Ｂから射出された射出光を光記録媒体２に集束させるとともに、光記録媒体２で反射された反射光を信号検出用受光素子４に導く光学系５とを備えている。また、光ヘッド装置１は、第１レーザ光源３Ａまたは第２レーザ光源３Ｂから射出された射出光の一部を受光するモニタ用受光素子７と、レーザ光源３Ａ、３Ｂ、受光素子４、７および光学系５が固定されるフレーム６とを備えている。
【００１９】
光学系５は、レーザ光源３Ａ、３Ｂから光記録媒体２へ向かう光路上および／または光記録媒体２から信号検出用受光素子４へ向かう光路上に配置される各種の光学素子を備えている。具体的には、光学系５は、光学素子として、回折素子８Ａ、８Ｂと、偏光プリズム９と、ビームスプリッタとしてのハーフミラー１０と、１／４波長板１１と、コリメータレンズ１２と、立ち上げミラー（全反射ミラー）１３と、対物レンズ１４と、リレーレンズ１５と、センサレンズ１６とを備えている。
【００２０】
第１レーザ光源３Ａから射出された光は、回折素子８Ａおよび偏光プリズム９の部分反射面９ａを透過して、ハーフミラー１０に入射する。また、第２レーザ光源３Ｂから射出された光は、回折素子８Ｂおよびリレーレンズ１５を透過した後、偏光プリズム９の部分反射面９ａで反射されて、ハーフミラー１０に入射する。
【００２１】
また、第１レーザ光源３Ａまたは第２レーザ光源３Ｂから射出された光の一部は、ハーフミラー１０で反射される。ハーフミラー１０で反射された光は、１／４波長板１１およびコリメータレンズ１２を透過し、立ち上げミラー１３で反射された後、対物レンズ１４を透過して、光記録媒体２に照射される。光記録媒体２で反射された光は、対物レンズ１４、立ち上げミラー１３、コリメータレンズ１２および１／４波長板１１を経由した後、ハーフミラー１０を透過するとともに、センサレンズ１６を透過して、信号検出用受光素子４に入射する。また、第１レーザ光源３Ａまたは第２レーザ光源３Ｂから射出された光の一部は、ハーフミラー１０を透過して、モニタ用受光素子７に入射する。
【００２２】
フレーム６は、ダイカストで形成されている。また、フレーム６は、亜鉛合金（ＺＤＣ）で形成されている。すなわち、フレーム６は、亜鉛ダイカストで形成されている。このフレーム６には、図２、図３に示すように、光ヘッド装置１を所定方向へ送るための送りねじ（図示省略）が係合するネジ係合部６ａと、光ヘッド装置１を所定方向へ案内するガイド軸（図示省略）が係合する軸係合部６ｂとが形成されている。本形態では、図２に示すように、フレーム６の略中央部にハーフミラー１０が固定されている。すなわち、フレーム６の略中央部には、ハーフミラー１０が固定される固定部としてのミラー固定部６ｃが形成されている。以下、ハーフミラー１０の固定構造について説明する。
【００２３】
（ハーフミラーの固定構造）
図５は、図２のＦ−Ｆ方向からハーフミラー１０の固定構造を模式的に示す図である。図６は、図２のＧ−Ｇ方向からハーフミラー１０の固定構造を模式的に示す図である。図７は、図５のＨ−Ｈ断面の断面図である。図８は、図６のＪ−Ｊ方向から第１の接着部２３を示す図である。
【００２４】
上述のように、フレーム６の略中央部には、ハーフミラー１０が固定されるミラー固定部６ｃが形成されている。このミラー固定部６ｃは、図４〜図７に示すように、フレーム６の底面６ｄから起立する２個の壁部６ｅ、６ｆと、壁部６ｅ、６ｆの下端側を繋ぐ接続壁部６ｇとを備えている。
【００２５】
図５、図６に示すように、壁部６ｅ、６ｆの間（すなわち、接続壁部６ｇの上方）には、上端側が開口する矩形状の切欠部６ｈが形成されている。具体的には、壁部６ｅの縁（図５の左端の縁）となる壁部端面６ｊと、壁部６ｆの縁（図５の右端の縁）となる壁部端面６ｋと、接続壁部６ｇの縁（図５の上端の縁）となる壁部端面６ｎとによって切欠部６ｈが形成されている。ハーフミラー１０を通過する光は、この切欠部６ｈを通過する。
【００２６】
壁部６ｅ、６ｆの上端側には、図７に示すように、ハーフミラー１０に向かって突出する略円柱状の突起部６ｐが形成されている。この突起部６ｐは、壁部６ｅ、６ｆの下端側にも形成されている。具体的には、壁部６ｅの下端側には、図５の左右方向に所定の間隔をあけた状態で２個の突起部６ｐが形成され、壁部６ｆの下端側には、図５の左右方向に所定の間隔をあけた状態で２個の突起部６ｐが形成されている。すなわち、壁部６ｅ、６ｆのそれぞれには、３個の突起部６ｐが形成されており、ミラー固定部６ｃには、合計６個の突起部６ｐが形成されている。この突起部６ｐの高さは、たとえば、１００μｍである。なお、壁部６ｅ、６ｆのそれぞれに形成される３個の突起部６ｐは、図５の上下方向から見たときに互いに重ならないように形成されている。また、図７等では、説明の便宜上、突起部６ｐを誇張して図示しているが、実際の突起部６ｐの突出量はわずかである。
【００２７】
ハーフミラー１０は、フレーム６に接着で固定されている。具体的には、図５〜図７に示すように、ハーフミラー１０の左右両端側が６個の突起部６ｐの先端面６ｑに接着剤２１を介して固定されている。本形態では、突起部６ｐの先端面６ｑは、ハーフミラー１０の取付基準面（証面）となっており、先端面６ｑに非常に薄く塗布された接着剤２１によって、ハーフミラー１０は先端面６ｑに接着されている。
【００２８】
たとえば、先端面６ｑにハーフミラー１０を当接させた状態で、先端面６ｑとハーフミラー１０との間に接着剤２１を浸透させることで、ハーフミラー１０が先端面６ｑに接着されている。あるいは、接着剤２１が塗布された先端面６ｑにハーフミラー１０を当接させることで、ハーフミラー１０が先端面６ｑに接着されている。
【００２９】
なお、先端面６ｑにハーフミラー１０を当接させた状態で、先端面６ｑとハーフミラー１０との間に接着剤２１を浸透させることで、ハーフミラー１０が先端面６ｑに接着される場合には、先端面６ｑとハーフミラー１０との間に接着剤２１が介在しない箇所が現れる場合もある。すなわち、先端面６ｑの一部とハーフミラー１０の一部とが当接する箇所が現れる場合もある。
【００３０】
また、ハーフミラー１０の、先端面６ｑに当接する側の面である当接面１０ａと壁部端面６ｊ〜６ｎとに跨るように塗布された接着剤（図６、図８参照）と、ハーフミラー１０の側面１０ｂと壁部６ｅ、６ｆとに跨るように塗布された接着剤（図５、図７参照）と、ハーフミラー１０の底面１０ｃとこの底面１０ｃに対向配置されるフレーム６の底面６ｄとの間に塗布される接着剤（図５、図７参照）とによって、ハーフミラー１０がフレーム６に接着で固定されている。
【００３１】
本形態では、ハーフミラー１０の当接面１０ａと壁部端面６ｊ〜６ｎとに跨るように塗布された接着剤によって第１の接着部２３が形成され、ハーフミラー１０の側面１０ｂと壁部６ｅ、６ｆとに跨るように塗布された接着剤によって第２の接着部２４が形成され、ハーフミラー１０の底面１０ｃとフレーム６の底面６ｄとの間に塗布される接着剤によって第３の接着部２５が形成されている。
【００３２】
第１の接着部２３は、３箇所に形成されている。具体的には、図６に示すように、壁部６ｅ、６ｆの上端側に形成される突起部６ｐの近傍の２箇所と接続壁部６ｇの中心部の１箇所とに第１の接着部２３が形成されている。図５に示すように、第２の接着部２４は、ハーフミラー１０の両側の２箇所に形成されている。また、第３の接着部２５は、ハーフミラー１０の下側の２箇所に形成されている。なお、本形態では、第１の接着部２３、第２の接着部２４および第３の接着部２５を形成する接着剤は、たとえば、アクリル系の接着剤である。
【００３３】
（本形態の主な効果）
以上説明したように、本形態では、亜鉛ダイカストで形成されるフレーム６に複数の突起部６ｐが形成されている。また、ハーフミラー１０の取付基準面となる突起部６ｐの先端面６ｑに接着剤２１を介してハーフミラー１０が固定されている。そのため、本形態では、ハーフミラー１０の取付基準面の面積を低減することができ、取付基準面において、錆が発生する確率を低減することができる。また、先端面６ｑとハーフミラー１０との間に接着剤２１が介在するため、取付基準面において、錆が発生する確率をさらに低減することができる。したがって、本形態では、取付基準面での錆の発生を抑制して、ハーフミラー１０の光軸ずれを抑制することができる。
【００３４】
特に、光を反射させる反射機能を有するハーフミラー１０の場合、錆によって取付基準面からハーフミラー１０が浮き上がると、光軸が大きくずれやすくなるが、本形態では、ハーフミラー１０の光軸ずれを抑制することができ、ハーフミラー１０を適切に機能させることができる。
【００３５】
本形態では、フレーム６は、亜鉛ダイカストで形成されている。そのため、マグネシウムダイカストやアルミダイカストによってフレーム６が形成される場合と比較して、フレーム６のコストを低減することができる。また、マグネシウムダイカストやアルミダイカストによってフレーム６が形成される場合と比較して、フレーム６が亜鉛ダイカストで形成されると、フレーム６の表面に錆が発生しやすくなるが、本形態では、ハーフミラー１０の取付基準面で錆が発生する確率を低減することができる。
【００３６】
本形態では、たとえば、先端面６ｑにハーフミラー１０を当接させた状態で、先端面６ｑとハーフミラー１０との間に接着剤２１を浸透させることで、ハーフミラー１０が先端面６ｑに接着されている。あるいは、接着剤２１が塗布された先端面６ｑにハーフミラー１０を当接させることで、ハーフミラー１０が先端面６ｑに接着されている。すなわち、亜鉛ダイカスト製のフレーム６に形成される突起部６ｐの先端面６ｑを取付基準面としてハーフミラー１０が接着されている。そのため、ハーフミラー１０の取付精度を確保しやすくなる。したがって、組立時におけるハーフミラー１０の光軸ずれを抑制することができる。
【００３７】
（他の実施の形態）
上述した形態は、本発明の好適な形態の一例ではあるが、これに限定されるものではなく本発明の要旨を変更しない範囲において種々変形実施が可能である。
【００３８】
上述した形態では、突起部６ｐの先端面６ｑに接着剤２１を介してハーフミラー１０が固定されている。この他にもたとえば、先端面６ｑに所定の被膜が形成され、その被膜に接着剤２１を介してハーフミラー１０が固定されても良い。すなわち、被膜の表面がハーフミラー１０の取付基準面となっても良い。たとえば、先端面６ｑにメッキ層等の防錆処理層が形成されても良い。
【００３９】
この場合であっても、ハーフミラー１０の取付基準面となる被膜の形成部分の面積を低減することができるため、取付基準面の近傍で、錆が発生する確率を低減することができる。また、被膜の表面とハーフミラー１０との間に接着剤が介在するため、取付基準面の近傍において、錆が発生する確率をさらに低減することができる。その結果、取付基準面の近傍での錆の発生を抑制して、ハーフミラー１０の光軸ずれを抑制することができる。
【００４０】
上述した形態では、たとえば、先端面６ｑにハーフミラー１０を当接させた状態で、先端面６ｑとハーフミラー１０との間に接着剤２１を浸透させることで、ハーフミラー１０が先端面６ｑに接着されている。あるいは、接着剤２１が塗布された先端面６ｑにハーフミラー１０を当接させることで、ハーフミラー１０が先端面６ｑに接着されている。この他にもたとえば、ハーフミラー１０を先端面６ｑから浮かせた状態で（すなわち、ハーフミラー１０と先端面６ｑとを離間させた状態で）、ハーフミラー１０と先端面６ｑとの間の接着剤２１を注入して、ハーフミラー１０を先端面６ｑに接着しても良い。この場合には、先端面６ｑとハーフミラー１０との間により多くの接着剤２１を注入することができ、先端面６ｑを接着剤２１によって確実に覆うことができるため、先端面６ｑに水分が含まれるのを効果的に抑制することができる。したがって、取付基準面において、錆が発生する確率を効果的に低減することができる。
【００４１】
上述した形態では、フレーム６には、６個の突起部６ｐが形成されている。この他にもたとえば、フレーム６には、２個〜５個の突起部６ｐが形成されても良いし、７個以上の突起部６ｐが形成されても良い。また、上述した形態では、壁部６ｅ、６ｆの上端側に１個の突起部６ｐが形成され、壁部６ｅ、６ｆの下端側に２個の突起部６ｐが形成されているが、突起部６ｐは、壁部６ｅ、６ｆおよび接続壁部６ｇの任意の箇所に形成されても良い。
【００４２】
上述した形態では、ハーフミラー１０は、突起部６ｐの先端面６ｑに塗布された接着剤２１に加え、ハーフミラー１０の当接面１０ａと壁部端面６ｊ〜６ｎとに跨るように塗布された接着剤と、ハーフミラー１０の側面１０ｂと壁部６ｅ、６ｆとに跨るように塗布された接着剤と、ハーフミラー１０の底面１０ｃとフレーム６の底部６ｄとの間に塗布される接着剤とによってフレーム６に接着で固定されている。この他にもたとえば、ハーフミラー１０は、先端面６ｑに塗布された接着剤２１のみによってフレーム６に固定されても良い。また、ハーフミラー１０は、先端面６ｑに塗布された接着剤２１に加え、ハーフミラー１０の当接面１０ａと壁部端面６ｊ〜６ｎとに跨るように塗布された接着剤、ハーフミラー１０の側面１０ｂと壁部６ｅ、６ｆとに跨るように塗布された接着剤およびハーフミラー１０の底面１０ｃとフレーム６の底部６ｄとの間に塗布される接着剤のうちのいずれか１つあるいは任意に選択される２つの接着剤によってフレーム６に固定されても良い。
【００４３】
上述した形態では、フレーム６は、亜鉛ダイカストで形成されているが、フレーム６は、マグネシウムダイカストやアルミダイカストで形成されても良い。また、上述した形態では、ハーフミラー１０の固定構造を例に本発明の実施の形態を説明しているが、ビームスプリッタとしての機能を有するプリズムが上述の固定構造によって固定されても良い。たとえば、偏光プリズム９が上述の固定構造で固定されても良い。また、ビームスプリッタ以外の光学素子が上述の固定構造によって固定されても良い。
【図面の簡単な説明】
【００４４】
【図１】本発明の実施の形態にかかる光ヘッド装置の、光学系を中心とした概略構成図である。
【図２】本発明の実施の形態にかかる光ヘッド装置の一部の部品を取り除いた状態を示す平面図である。
【図３】図２に示すフレームの斜視図である。
【図４】図３のＥ−Ｅ断面の断面図である。
【図５】図２のＦ−Ｆ方向からハーフミラーの固定構造を模式的に示す図である。
【図６】図２のＧ−Ｇ方向からハーフミラーの固定構造を模式的に示す図である。
【図７】図５のＨ−Ｈ断面の断面図である。
【図８】図６のＪ−Ｊ方向から第１の接着部を示す図である。
【符号の説明】
【００４５】
１  光ヘッド装置
２  光記録媒体
３Ａ  第１レーザ光源（光源）
３Ｂ  第２レーザ光源（光源）
４  信号検出用受光素子（受光素子）
６  フレーム
６ｃ  ミラー固定部（固定部）
６ｐ  突起部
６ｑ  先端面
１０  ハーフミラー（光学素子、ビームスプリッタ）
２１  接着剤
【図１】
2010061753.tif 000003
【図２】
2010061753.tif 000004
【図３】
2010061753.tif 000005
【図４】
2010061753.tif 000006
【図５】
2010061753.tif 000007
【図６】
2010061753.tif 000008
【図７】
2010061753.tif 000009
【図８】
2010061753.tif 000010